(57)【要約】【課題】発散光学系の光ピックアップのスポットに強度分布ずれやコマ収差があると、内周および外周方向にレンズシフトをさせたとき、差動プッシュプルの振幅減少が非対称になり、振幅減少の大きい方向で、トラッキングが不安定になる。【解決手段】内周および外周方向に対物レンズをレンズシフトさせ、メインプッシュプル１０１の振幅減少が小さくなるように、レーザーを動かしファーフィールド調整することで、メインプッシュプル１０２のように、対物レンズの制御中心Ｏでメインプッシュプル振幅１０３が最大値となる。【選択図】図１
2006221731.tif 000002
【特許請求の範囲】
【請求項１】
光源と、前記光源が出射した光を０次光と±１次光とに分岐する分岐手段と、前記０次光及び前記±１次光を光ディスク上に集光する対物レンズと、前記光ディスクで反射した０次反射光と±１次反射光とを各々受光する第一の受光素子と第二の受光素子とを有する光ピックアップであって、
前記第一の受光素子と前記第二の受光素子とは各々少なくとも２分割以上の受光領域で構成され、前記第一の受光素子が出力する第一の差動出力と前記第二の受光素子が出力する第二の差動出力との演算出力に基づき前記対物レンズのトラッキング制御信号を得、前記対物レンズを前記光ディスクの内周側または外周側何れかに所定量変位させたときに、前記第一の差動出力または前記第二の差動出力何れかの振幅変動が最も小さくなるように、前記対物レンズと前記光源の相対位置とを調整したことを特徴とする光ピックアップ装置。
【請求項２】
前記対物レンズを前記光ディスクの内周側または外周側に所定量変位させたときに、前記第一の差動出力または前記第二の差動出力何れかの振幅変動が最も小さくなるように、前記光源の固定位置を調整したことを特徴とする請求項１記載の光ピックアップ装置。
【請求項３】
前記対物レンズを前記光ディスクの内周側または外周側に所定量変位させたときに、前記第一の差動出力または前記第二の差動出力何れかの振幅変動が最も小さくなるように、前記対物レンズの固定位置を調整したことを特徴とする請求項１記載の光ピックアップ装置。
【請求項４】
光源と、前記光源が出射した光を０次光と±１次光とに分岐する分岐手段と、前記０次光及び前記±１次光を光ディスク上に集光する対物レンズと、前記光ディスクで反射した０次反射光と±１次反射光とを各々受光する第一の受光素子と第二の受光素子とを有し、前記第一の受光素子と前記第二の受光素子とは各々少なくとも２分割以上の受光領域で構成される光ピックアップの制御方法であって、
前記第一の受光素子が出力する第一の差動出力と前記第二の受光素子が出力する第二の差動出力との演算出力に基づき前記対物レンズのトラッキング制御信号を得、前記対物レンズを前記光ディスクの内周側または外周側何れかに所定量変位させたときに、前記第一の差動出力または第二の差動出力何れかの振幅変動が最も小さくなるように、前記対物レンズの制御中心を調整することを特徴とする光ピックアップの制御方法。
【請求項５】
光源と、前記光源が出射した光を０次光と±１次光とに分岐する分岐手段と、前記０次光及び前記±１次光を光ディスク上に集光する対物レンズと、前記光ディスクで反射した０次反射光と±１次反射光とを各々受光する第一の受光素子と第二の受光素子を有する光ピックアップであって、
前記第一の受光素子と前記第二の受光素子とは各々少なくとも２分割以上の受光領域で構成され、前記第一の受光素子が出力する第一の差動出力と前記第二の受光素子が出力する第二の差動出力との演算出力に基づき前記対物レンズのトラッキング制御信号を得、前記対物レンズを前記光ディスクの内周側または外周側何れかに所定量変位させたときに、前記第一の差動出力と前記第二の差動出力との位相のずれが最も小さくなるように、前記対物レンズと前記光源の相対位置を調整したことを特徴とする光ピックアップ装置。
【請求項６】
前記対物レンズを前記光ディスクの内周側または外周側何れかに所定量変位させたときに、前記第一の差動出力と前記第二の差動出力との位相のずれが最も小さくなるように、前記光源の固定位置を調整したことを特徴とする請求項５記載の光ピックアップ装置。
【請求項７】
前記対物レンズを前記光ディスクの内周側または外周側何れかに所定量変位させたときに、前記第一の差動出力と前記第二の差動出力との位相のずれが最も小さくなるように、前記対物レンズの固定位置を調整したことを特徴とする請求項５記載の光ピックアップ装置。
【請求項８】
光源と、前記光源が出射した光を０次光と±１次光とに分岐する分岐手段と、前記０次光及び前記±１次光を光ディスク上に集光する対物レンズと、前記光ディスクで反射した０次反射光と±１次反射光とを各々受光する第一の受光素子と第二の受光素子とを有し、前記第一の受光素子と前記第二の受光素子とは各々少なくとも２分割以上の受光領域で構成される光ピックアップの制御方法であって、
前記第一の受光素子が出力する第一の差動出力と前記第二の受光素子が出力する第二の差動出力との演算出力に基づき前記対物レンズのトラッキング制御信号を得、前記対物レンズを前記光ディスクの内周側または外周側何れかに所定量変位させたときに、前記第一の差動出力と前記第二の差動出力との位相のずれが最も小さくなるように、前記対物レンズの制御中心を調整することを特徴とする光ピックアップの制御方法。
【請求項９】
光源と、前記光源が出射した光を０次光と±１次光とに分岐する分岐手段と、前記０次光及び前記±１次光を光ディスク上に集光する対物レンズと、前記光ディスクで反射した０次反射光と±１次反射光とを各々受光する第一の受光素子と第二の受光素子とを有する光ピックアップであって、
前記第一の受光素子と前記第二の受光素子とは各々少なくとも２分割以上の受光領域で構成され、前記第一の受光素子が出力する第一の差動出力と前記第二の受光素子が出力する第二の差動出力との演算出力に基づき前記対物レンズのトラッキング制御信号を得、前記対物レンズを前記光ディスクの内周側または外周側何れかに所定量変位させたときに、前記演算出力の振幅変動が最も小さくなるように、前記対物レンズと前記光源の相対位置を調整したことを特徴とする光ピックアップ装置。
【請求項１０】
前記対物レンズを前記光ディスクの内周側または外周側何れかに所定量変位させたときに、前記演算出力の振幅変動が最も小さくなるように、前記光源の固定位置を調整したことを特徴とする請求項９記載の光ピックアップ装置。
【請求項１１】
前記対物レンズを前記光ディスクの内周側または外周側何れかに所定量変位させたときに、前記演算出力の振幅変動が最も小さくなるように、前記対物レンズの固定位置を調整したことを特徴とする請求項９記載の光ピックアップ装置。
【請求項１２】
光源と、前記光源が出射した光を０次光と±１次光とに分岐する分岐手段と、前記０次光及び前記±１次光を光ディスク上に集光する対物レンズと、前記光ディスクで反射した０次反射光と±１次反射光とを各々受光する第一の受光素子と第二の受光素子を有し、前記第一の受光素子と前記第二の受光素子とは各々少なくとも２分割以上の受光領域で構成される光ピックアップの制御方法であって、
前記第一の受光素子が出力する第一の差動出力と前記第二の受光素子が出力する第二の差動出力との演算出力に基づき前記対物レンズのトラッキング制御信号を得、前記対物レンズを前記光ディスクの内周側または外周側何れかに所定量変位させたときに、前記演算出力の振幅変動が最も小さくなるように、前記対物レンズの制御中心を調整することを特徴とする光ピックアップの制御方法。
【発明の詳細な説明】
【技術分野】
【０００１】
本発明は、光ピックアップ、ならびに光ディスクを記録再生時のトラッキング制御方法に関するものである。
【背景技術】
【０００２】
図６は、一般的な光ディスク記録再生装置の構成例を示す。図７は光ディスク盤面上のスポット、図８は光検出器と信号処理回路を示している。図６に示すように、光源なるレーザーユニット（以下、ＬＤＵと称す）５０２のレーザーから出射した光は、分岐手段なる回折格子５０３で０次、＋１次、−１次の光に分光された後、コリメートレンズ５０４を経て、アクチュエータ５０６で駆動される対物レンズ５０５により、スピンドルモーター５０７により回転される光ディスク５０１の盤面上に集光される。図７にこのときの集光スポットの一例を示す。６０１は光ディスクへの記録・再生・消去に用いられる０次光が集光したメインスポット、６０２及び６０３は±１次光が集光したサブスポットである。光ディスク５０１で反射した光は、再度対物レンズ５０５を経てＬＤＵ５０２上の第一の受光素子及び第二の受光素子なるフォトディテクター（図６では省略）に入射・受光され、不図示の信号処理回路に送られる。
【０００３】
図８に示すように、ＬＤＵ５０２上のフォトディテクターは、それぞれ受光領域が分割され７０１、７０２、７０３で構成されている。すなわち、メインスポット６０１からの反射光を受光する第一の受光素子なる４分割受光素子７０１と、サブスポット６０２及び６０３からの反射光を受光しトラック横断方向に分割された第二の受光素子なる２分割受光素子７０２及び７０３から構成されている。４分割受光素子７０１には、トラック横断方向において同一側に位置する信号同士の和を取る加算器７０４及び７０５と、この加算器７０４及び７０５の出力信号の差動をとる差動器７０６とが設けられている。この差動器７０６からの第一の差動出力なる出力信号をメインプッシュプル信号（以下、ＭＰＰ信号と称す）と呼ぶことにする。また、２分割受光素子７０２の受光領域Ｅ及びＦから出力の差をとる差動器７０７、２分割受光素子７０３の受光領域Ｇ及びＨからの出力の差をとる差動器７０８、さらに差動器７０７と差動器７０８との出力の和をとる加算器７０９が設けられている。この加算器７０９からの第二の差動出力なる出力信号をサブプッシュプル信号（以下、ＳＰＰ信号と称す）と呼ぶことにする。ＳＰＰ信号は増幅器７１０でｍ倍に増幅され、差動器７１１でＭＰＰ信号と差動をとる。差動器７１１からのトラッキング制御信号なる出力信号を差動プッシュプル信号（以下、ＤＰＰ信号と称す）と呼ぶことにする。
【０００４】
トラッキング制御に用いられるＤＰＰ信号は、次式
ＤＰＰ＝｛（Ａ＋Ｄ）−（Ｂ＋Ｃ）｝−ｍ×｛（Ｅ−Ｆ）＋（Ｇ−Ｈ）｝
で算出される。ただし、定数ｍは０次光によるメインスポット６０１の光量と±１次光によるサブスポット６０２及び６０３との光量比で決定される量である。なお、このＤＰＰ信号に関しては特許文献１、ＤＰＰ信号のディスクの半径位置を変動させたときに発生する振幅変動を抑制するための条件は特許文献２にて提案されている。
【０００５】
また、一般的な非点収差法によるフォーカスエラー信号ＦＥと情報信号ＲＦはそれぞれ次式
ＦＥ＝（Ａ＋Ｃ）―（Ｂ＋Ｄ）
ＲＦ＝Ａ＋Ｂ＋Ｃ＋Ｄ
に基づき検出される。
【特許文献１】特開平１０−１６２３８３号公報
【特許文献２】特開２００２−１５４４２号公報
【発明の開示】
【発明が解決しようとする課題】
【０００６】
図９は、ＬＤＵ８０２ないしは対物レンズ８０５の固定位置を、光軸中心８１０と対物レンズ８０５の中心とが一致するように調整したが、レーザーの強度分布中心８１１が対物レンズ８０５の中心に対しトラック横断方向（図９では、一例として光ディスクの内周側）にずれた場合を示している。この現象は、光源８０２のレーザーチップの取り付け誤差などにより、光軸中心８１０とレーザーの強度分布中心８１１とが一般に一致しないこと等により頻発する。
【０００７】
この状態で対物レンズ８０５を光ディスク５０１（図６参照）の内周側または外周側にレンズシフトさせると、対物レンズ８０５に入射するレーザーの強度分布がずれるため、ＭＰＰ信号及びＳＰＰ信号の振幅が変化し、結果としてＤＰＰ信号の振幅が変化する。図９の場合では、光ディスク５０１の内周側にレーザーの強度分布中心があるため、対物レンズ８０５を内周側にレンズシフトさせた場合にＤＰＰ信号振幅最大となる点がある。図１０に横軸を対物レンズ８０５のレンズシフト量、縦軸にＤＰＰ信号振幅としたときのグラフを示す。ＤＰＰ信号の振幅最大となる点が光ディスク５０１の内周側に存在し、対物レンズ８０５の制御中心０に関し非対称なグラフとなっている。内周側と外周側に一定量レンズシフトさせた場合、外周側の方がＤＰＰ信号の振幅減少が大きい。このような状態で偏心の大きな光ディスクを再生すると、内周側または外周側のいずれかの方向のレンズシフトによってＤＰＰ信号の振幅が大きく低下し、トラッキング制御が不安定になるという課題がある。
【０００８】
一方、他の問題としてコマ収差によるＭＰＰ信号とＳＰＰ信号との位相ずれがある。図１１（ａ）はスポットにコマ収差が無い時、同図（ｂ）はコマ収差がある時の、ＭＰＰ波形，ＳＰＰ波形，ＤＰＰ波形の一例を示している。図１１（ｂ）のＭＰＰとＳＰＰとに発生している位相ずれは、ここでは△φである。一般にレーザーから出射し対物レンズに入射する光が発散光である場合、対物レンズ８０５の中心と光軸とがずれると、光ディスク５０１の盤面上のスポットにコマ収差が発生するため、対物レンズ８０５がレンズシフトすると、さらにコマ収差が発生し、位相ずれが大きくなる。
【０００９】
図１２（ａ）は制御中心ＯにおけるＭＰＰ、ＳＰＰ、ＤＰＰの波形を示しており、例えば対物レンズ８０５等の光学部品によるコマ収差が発生し、位相ずれΔφ１が生じている状態を示している。同図（ｂ）は光ディスクの内周側、同図（ｃ）は外周側にレンズシフトした場合を示している。この場合それぞれのレンズシフトによって発生したコマ収差の影響で、それぞれΔφ２，Δφ３の位相ずれが発生する。図１３に横軸がレンズシフト、縦軸にＭＰＰ信号とＳＰＰ信号との位相ずれとしたときのグラフを示す。初期位相ずれΔφ１にレンズシフトによる位相ずれが加わり、内周側と外周側で非対称に位相ずれΔφ２及びΔφ３が発生していることがわかる。ＭＰＰ信号とＳＰＰ信号との位相ずれが大きくなると、演算後の波形であるＤＰＰ信号の振幅は小さくなる。図１３の場合では、外周側にずらした場合にＭＰＰ信号とＳＰＰ信号との位相ずれが大きいため、ＤＰＰ信号の振幅減少が大きい。なお、実際には対物レンズシフト８０５によってＭＰＰ信号とＳＰＰ信号との位相ずれは振幅減少と同時に変動するため、ＤＰＰ信号の振幅減少はさらに大きい。このような状態で、偏心の大きな光ディスク５０１を再生すると、内周側または外周側のいずれかの方向のレンズシフトによってＤＰＰ信号の振幅が低下し、トラッキング制御が不安定になるという課題がある。
【００１０】
そこで本発明は、以上のようなレーザーの強度分布中心と対物レンズ中心とのずれや、ＭＰＰ信号とＳＰＰ信号との位相ずれによりＤＰＰ信号の振幅が減少し、トラッキング制御が不安定になる課題を解決することを目的とする。
【課題を解決するための手段】
【００１１】
本第１の発明は、光源と、前記光源が出射した光を０次光と±１次光とに分岐する分岐手段と、前記０次光及び前記±１次光を光ディスク上に集光する対物レンズと、前記光ディスクで反射した０次反射光と±１次反射光とを各々受光する第一の受光素子と第二の受光素子とを有する光ピックアップであって、前記第一の受光素子と前記第二の受光素子とは各々少なくとも２分割以上の受光領域で構成され、前記第一の受光素子が出力する第一の差動出力と前記第二の受光素子が出力する第二の差動出力との演算出力に基づき前記対物レンズのトラッキング制御信号を得、前記対物レンズを前記光ディスクの内周側または外周側何れかに所定量変位させたときに、前記第一の差動出力または前記第二の差動出力何れかの振幅変動が最も小さくなるように、前記対物レンズと前記光源の相対位置とを調整した光ピックアップ装置である。
【００１２】
さらには、光源と、光源よりの光を０次光と±１次光に分岐する分岐手段と、０次光と±１次光を光ディスク上に集光する対物レンズと、光ディスクよりの０次光と±１次光を各々受光する第一と第二の受光素子を有し、第一と第二の受光素子は各々少なくとも２分割以上で構成される光ピックアップの制御方法であって、第一の受光素子からの第一の差動出力と第二の受光素子からの第二の差動出力との演算出力より対物レンズのトラッキング制御信号を得、対物レンズを光ディスクの内周側と外周側に所定量変位させたときに、第一ないしは第二の差動出力の振幅変動が最も小さくなるように、対物レンズの制御中心を調整することを特徴とする。
【００１３】
本第２の発明は、光源と、前記光源が出射した光を０次光と±１次光とに分岐する分岐手段と、前記０次光及び前記±１次光を光ディスク上に集光する対物レンズと、前記光ディスクで反射した０次反射光と±１次反射光とを各々受光する第一の受光素子と第二の受光素子とを有し、前記第一の受光素子と前記第二の受光素子とは各々少なくとも２分割以上の受光領域で構成される光ピックアップの制御方法であって、前記第一の受光素子が出力する第一の差動出力と前記第二の受光素子が出力する第二の差動出力との演算出力に基づき前記対物レンズのトラッキング制御信号を得、前記対物レンズを前記光ディスクの内周側または外周側何れかに所定量変位させたときに、前記第一の差動出力または第二の差動出力何れかの振幅変動が最も小さくなるように、前記対物レンズの制御中心を調整する光ピックアップの制御方法である。
【００１４】
本第３の発明は、光源と、前記光源が出射した光を０次光と±１次光とに分岐する分岐手段と、前記０次光及び前記±１次光を光ディスク上に集光する対物レンズと、前記光ディスクで反射した０次反射光と±１次反射光とを各々受光する第一の受光素子と第二の受光素子を有する光ピックアップであって、前記第一の受光素子と前記第二の受光素子とは各々少なくとも２分割以上の受光領域で構成され、前記第一の受光素子が出力する第一の差動出力と前記第二の受光素子が出力する第二の差動出力との演算出力に基づき前記対物レンズのトラッキング制御信号を得、前記対物レンズを前記光ディスクの内周側または外周側何れかに所定量変位させたときに、前記第一の差動出力と前記第二の差動出力との位相のずれが最も小さくなるように、前記対物レンズと前記光源の相対位置を調整した光ピックアップ装置である。
【００１５】
本第４の発明は、光源と、前記光源が出射した光を０次光と±１次光とに分岐する分岐手段と、前記０次光及び前記±１次光を光ディスク上に集光する対物レンズと、前記光ディスクで反射した０次反射光と±１次反射光とを各々受光する第一の受光素子と第二の受光素子とを有し、前記第一の受光素子と前記第二の受光素子とは各々少なくとも２分割以上の受光領域で構成される光ピックアップの制御方法であって、前記第一の受光素子が出力する第一の差動出力と前記第二の受光素子が出力する第二の差動出力との演算出力に基づき前記対物レンズのトラッキング制御信号を得、前記対物レンズを前記光ディスクの内周側または外周側何れかに所定量変位させたときに、前記第一の差動出力と前記第二の差動出力との位相のずれが最も小さくなるように、前記対物レンズの制御中心を調整する光ピックアップの制御方法である。
【００１６】
本第５の発明は、光源と、前記光源が出射した光を０次光と±１次光とに分岐する分岐手段と、前記０次光及び前記±１次光を光ディスク上に集光する対物レンズと、前記光ディスクで反射した０次反射光と±１次反射光とを各々受光する第一の受光素子と第二の受光素子とを有する光ピックアップであって、前記第一の受光素子と前記第二の受光素子とは各々少なくとも２分割以上の受光領域で構成され、前記第一の受光素子が出力する第一の差動出力と前記第二の受光素子が出力する第二の差動出力との演算出力に基づき前記対物レンズのトラッキング制御信号を得、前記対物レンズを前記光ディスクの内周側または外周側何れかに所定量変位させたときに、前記演算出力の振幅変動が最も小さくなるように、前記対物レンズと前記光源の相対位置を調整した光ピックアップ装置である。
【００１７】
本第６の発明は、光源と、前記光源が出射した光を０次光と±１次光とに分岐する分岐手段と、前記０次光及び前記±１次光を光ディスク上に集光する対物レンズと、前記光ディスクで反射した０次反射光と±１次反射光とを各々受光する第一の受光素子と第二の受光素子を有し、前記第一の受光素子と前記第二の受光素子とは各々少なくとも２分割以上の受光領域で構成される光ピックアップの制御方法であって、前記第一の受光素子が出力する第一の差動出力と前記第二の受光素子が出力する第二の差動出力との演算出力に基づき前記対物レンズのトラッキング制御信号を得、前記対物レンズを前記光ディスクの内周側または外周側何れかに所定量変位させたときに、前記演算出力の振幅変動が最も小さくなるように、前記対物レンズの制御中心を調整する光ピックアップの制御方法である。
【発明の効果】
【００１８】
本発明の上記構成により、対物レンズを内周および外周に所定量の変位を与えたときにＭＰＰ信号とＳＰＰ信号との振幅変動、位相ずれまたはＤＰＰ信号の何れかの振幅減少が最も小さくなるように、光源及び／または対物レンズの固定位置や、対物レンズの制御中心を調整することで、レンズシフトによるＤＰＰ信号の振幅変動を減少させ、偏心の大きな光ディスクのトラッキング制御をも安定にすることができる。
【発明を実施するための最良の形態】
【００１９】
以下、本発明実施の形態について図面を参照しながら説明する。なお、光学構成は従来例と同じ構成であるため省略する。
【００２０】
まず、ＭＰＰ信号もしくはＳＰＰ信号振幅を使って調整する光ピックアップについて、図１を参照して説明を行う。対物レンズを内周および外周側に等しくある一定量レンズシフトさせたとき、ＭＰＰ信号には、振幅変動が発生する。このとき与えるレンズシフト量は、再生もしくは記録のサポートを行う光ディスクで発生する偏心量から決定する。例えば、ＤＶＤやＣＤをサポートする場合は、レンズシフト量を内周側および外周側に等しく３００μｍ程度以上与えるのが望ましい。図１におけるピックアップの状態ではＭＰＰ信号の振幅変動が破線１０１のとき、レンズシフトの範囲において、ＭＰＰ信号の振幅減少が制御中心０に対して非対称であるので、実線１０２に示すように、制御中心０に対しＭＰＰ信号の振幅変動が対称になるよう、もしくはレンズシフトの内周および外周の端でのＭＰＰ信号の振幅１０４と１０５とがほぼ均等（例えば、振幅差が±５％以下）になるように、ＬＤＵまたは対物レンズの固定位置を光ディスクのトラック横断方向に調整する。
【００２１】
図３は、図１の破線１０１から実践１０２に調整するため、対物レンズ２０５の固定位置を内周側にずらして調整した状態を示している。図３に示すように、対物レンズ２０５の固定位置をＬＤＵ２０２から出射するレーザーの強度分布中心２１１に近づける方向にずらすことで、波線１０１から実線１０２に改善させることが可能となる。また、このように対物レンズ２０５をレンズシフトをさせ、内周側および外周側のそれぞれの端でのＭＰＰ信号振幅１０４と１０５との２点を測定して実施する調整は、対物レンズ２０５の制御中心ＯでのＭＰＰ信号振幅１０３が最大になるように１点で調整より、精度良く行うことができる。なお、ＳＰＰ信号を使っても同様に調整をおこなうことができるが、ＳＰＰ信号に比べると一般に信号振幅が大きく、信号雑音比が良好なため、ＭＰＰ信号のほうが望ましい。結果としてＭＰＰ信号とＳＰＰ信号とより構成されるＤＰＰ信号のレンズシフトによる振幅変動は、図１実線１０２のように小さく抑えられる。
【００２２】
また、図２は、図１でＬＤＵ２０２ないし対物レンズ２０５を調整する代わりに、対物レンズ２０５の制御中心０を制御中心Ｏ’にずらす形態である。このような手法によっても、光ピックアップの調整方法を変えることなく、光ピックアップの対物レンズ２０５の制御方法を変える（対物レンズ２０５の制御にＤＣオフセットを与える）だけで簡単に図１と同様な効果を得ることができる。
【００２３】
次に、ＭＰＰ信号とＳＰＰ信号の位相ずれを使った場合について説明する。既に説明済みであるが、対物レンズ２０５などの光学部品の収差によりコマ収差を持つ場合があり、このとき、ＭＰＰ信号とＳＰＰ信号に位相ずれが発生する。図１２と図１３とで説明したように、レンズシフトに対しＭＰＰ信号とＳＰＰ信号の位相ずれがさらに加算される。図４（ａ）は、対物レンズシフトに対するこの位相ずれが、対物レンズ２０５の制御中心に対し対称になるように、もしくはレンズシフトの内周および外周の端でのＭＰＰ信号の位相ずれとＳＰＰ信号の位相のずれ４０４および４０５の絶対値がほぼ均等（例えば、±１０°以下）になるように、ＬＤＵ２０２ないし対物レンズ２０５の固定位置を調整することを示している。レンズシフトによりコマ収差が発生するメカニズムを利用して、制御中心Ｏでコマ収差がキャンセルされる方向に調整されている。レンズシフトの範囲内で発生するＭＰＰ信号の位相ずれ量とＳＰＰ信号の位相ずれ量が小さく抑えられることになるため、ＤＰＰ信号の振幅変動が抑えられる。また図４（ｂ）に示すように、ＬＤＵ２０２ないし対物レンズ２０５を調整する代わりに、対物レンズの制御中心Ｏを制御中心Ｏ’にずらしてもよい。このような方法を採用することで、ピックアップの調整方法を変えることなく、ピックアップの対物レンズ２０５の制御方法を変える（対物レンズ２０５の制御にＤＣオフセットを与える）だけで、簡単に図４（ａ）と同様な効果を得ることができる。
【００２４】
また、ＭＰＰ信号ないしＳＰＰ信号振幅で調整したＬＤＵ２０２及び／または対物レンズ２０５の固定位置または対物レンズ２０５の制御中心と、ＭＰＰ信号の位相ずれまたはＳＰＰ信号の位相ずれによって調整したＬＤＵ２０２及び／または対物レンズ２０５の固定位置または対物レンズ２０５の制御中心とにずれがある場合は、その間のいずれかに設定することが望ましい。
【００２５】
さらには、図５に示すように、ＤＰＰ信号そのものの振幅変動を観測して調整してもよい。すなわち、図５（ａ）はＬＤＵ２０２ないし対物レンズ２０５の固定位置の調整、図５（ｂ）は対物レンズ２０５の制御中心を調整することにより、ＤＰＰ信号振幅の減少を抑制することができる。ＤＰＰ信号は前述したようにＭＰＰ信号、ＳＰＰ信号の演算信号であり、振幅変動と位相ずれの変動がすでに加味された状態で観測されるため、両方を考慮して調整することができる。
【産業上の利用可能性】
【００２６】
本発明は、返信の大きい光ディスクであっても良好な記録再生が行える光ピックアップ装置であるため、幅広い光記録再生装置に適用することができる。
【図面の簡単な説明】
【００２７】
【図１】本発明の一実施形態におけるレンズシフトとＭＰＰ信号振幅の関係図
【図２】本発明の他の実施形態におけるレンズシフトとＭＰＰ信号振幅の関係図
【図３】本発明の対物レンズの固定位置を内周側に調整しレーザー強度分布中心と対物レンズ中心の合致した光ピックアップ要部側面図
【図４】（ａ）は本発明の別の実施形態におけるレンズシフトとＭＰＰ信号とＳＰＰ信号の関係図、（ｂ）は本発明の他の実施形態におけるレンズシフトとＭＰＰ信号とＳＰＰ信号の関係図
【図５】（ａ）は本発明の別のレンズシフトとＤＰＰ信号振幅の関係図、（ｂ）は本発明の他のレンズシフトとＤＰＰ信号振幅の関係図
【図６】一般的な光ディスク記録再生装置の要部構成図
【図７】光ディスク盤面上のスポットの様子を説明する斜視図
【図８】光検出器と信号処理回路のブロック図
【図９】従来のレーザー強度分布中心と対物レンズ中心のずれた光ピックアップ要部側面図
【図１０】従来のレンズシフトとＤＰＰ信号振幅の関係図
【図１１】（ａ）はコマ収差と、ＭＰＰ信号とＳＰＰ信号の位相ずれの関係の一例を説明する図、（ｂ）はコマ収差と、ＭＰＰ信号とＳＰＰ信号の位相ずれの関係の他の例を説明する図
【図１２】（ａ）はレンズシフト無しの場合におけるＭＰＰ・ＳＰＰ・ＤＰＰ信号波形図、（ｂ）は内周側にレンズシフトした場合におけるＭＰＰ・ＳＰＰ・ＤＰＰ信号波形図、（ｃ）は外周側にレンズシフトした場合におけるＭＰＰ・ＳＰＰ・ＤＰＰ信号波形図
【図１３】レンズシフトＭＰＰ信号とＳＰＰ信号の位相ずれの関係図
【符号の説明】
【００２８】
１０１  レンズシフトに対するＭＰＰ信号振幅（調整前）
１０２  レンズシフトに対するＭＰＰ信号振幅（調整後）
１０３  制御中心ＯにおけるＭＰＰ信号振幅
１０４  内周側にレンズシフトした時のＭＰＰ信号振幅
１０５  外周側にレンズシフトした時のＭＰＰ信号振幅
２１０、８１０、１１１０  レーザーからの出射光の光軸
２１１、８１１  レーザーの強度分布中心
２０２、５０２、８０２、１１０２  ＬＤＵ
２０３、５０３、８０３、１１０３  回折格子
２０４、５０４、８０６、１１０４  コリメートレンズ
２０５、５０５、８０７、１１０５  対物レンズ
２０６、５０６、８０８、１１０６  アクチュエータ
５０１  光ディスク
５０７  スピンドルモーター
６０１  メインスポット
６０２、６０３  サブスポット
６１０  Ｇｒｏｏｖｅ
６１１  Ｌａｎｄ
７０１  ４分割受光素子
７０２、７０３  ２分割受光素子
７０４、７０５、７０９  加算器
７０６、７０７、７０８、７１１  差動器
７１０  増幅器
１１１１  対物レンズの中心
１１２１、１００１  ＭＰＰ信号
１１２２、１００２  ＳＰＰ信号
１１２３、１００３  ＤＰＰ信号
【図１】
2006221731.tif 000003
【図２】
2006221731.tif 000004
【図３】
2006221731.tif 000005
【図４】
2006221731.tif 000006
【図５】
2006221731.tif 000007
【図６】
2006221731.tif 000008
【図７】
2006221731.tif 000009
【図８】
2006221731.tif 000010
【図９】
2006221731.tif 000011
【図１０】
2006221731.tif 000012
【図１１】
2006221731.tif 000013
【図１２】
2006221731.tif 000014
【図１３】
2006221731.tif 000015